(57)【要約】      （修正有）【課題】地震等の振動によっては密閉容器同士の連結が容易に外れないように連結することができると共に、周囲に十分な作業空間がなくても容器同士の連結作業及びその連結の解除作業を容易に行なうことができる連結構造、及びこれを備えた密閉容器を提供する。【解決手段】長孔部３２ｆ及び長孔部３２ｆの一端部に長孔部３２ｆの幅寸法より大きい径寸法の円孔部３２ｇを有し、第１の被連結部品に固定された第１掛受部材３２と、長孔部３４ｆ及び長孔部３４ｆの長さ方向途中に分岐長孔部３４ｇを有し、第２の被連結部品に固定された第２掛受部材３４と、両端部に折曲部３０ｂ，３０ｆが形成され、折曲部３０ｂ，３０ｆの長さ方向外側に径寸法が大きい抜止部３０ｃが設けられた掛止部材３０を備え、折曲部３０ｂの抜止部３０ｃが長孔部３２ｆに、折曲部３０ｆの抜止部３０ｃが長孔部３４ｆに掛止されることにより、被連結部品を互いに連結する。【選択図】図１
0003178855.tif 000002
【実用新案登録請求の範囲】
【請求項１】
第１長孔部及びこの第１長孔部の一端部に連続して形成され前記第１長孔部の幅寸法より大きい径寸法の円孔部を有し、第１の被連結部品に固定された第１掛受部材と、
第２長孔部及びこの第２長孔部の長さ方向途中に一端部が連続する分岐長孔部を有し、第２の被連結部品に固定された第２掛受部材と、
両端部に折曲部が形成され、この折曲部の長さ方向外側に折曲部より径寸法が大きい抜止部が一体的に設けられた掛止部材とを備え、
前記掛止部材の一方の折曲部に設けられた抜止部が前記第１長孔部に掛止されると共に、前記掛止部材の他方の折曲部に設けられた抜止部が前記第２長孔部に掛止されることにより、前記第１の被連結部品と前記第２の被連結部品を互いに連結するようにしたことを特徴とする連結構造。
【請求項２】
前記第２掛受部材の分岐長孔部は略水平方向に対して傾斜して設けられ、
前記一方の折曲部の先端部及び抜止部を前記第１掛受部材の円孔部及び第１長孔部に挿通させて、前記一方の折曲部を中心にして前記他方の折曲部を回動させて前記第２掛受部材の分岐長孔部に通すことにより、前記一方の折曲部に設けられた抜止部は前記第１長孔部に掛止されると共に、前記他方の折曲部に設けられた抜止部は前記第２長孔部に掛止するようにしたことを特徴とする請求項１に記載の連結構造。
【請求項３】
前記掛止部材の抜止部は、前記第１掛受部材の円孔部より径寸法が大きく形成されたことを特徴とする請求項１又は２に記載の連結構造。
【請求項４】
第１長孔部及びこの第１長孔部の一端部に連続して形成され前記第１長孔部の幅寸法より大きい径寸法の円孔部を有し、第１の被連結部品に固定された第１掛受部材と、
第２長孔部及びこの第２長孔部の長さ方向途中に一端部が連続する分岐長孔部を有し、第２の被連結部品に固定された第２掛受部材と、
両端部に折曲部が形成され、この折曲部の長さ方向外側に折曲部より径寸法が大きい抜止部が一体的に設けられた掛止部材とを備え、
前記掛止部材の一方の折曲部に設けられた抜止部が前記第１長孔部に掛止されると共に、前記掛止部材の他方の折曲部に設けられた抜止部が前記第２長孔部に掛止されることにより、前記第１の被連結部品と前記第２の被連結部品を互いに連結する連結構造を備えたことを特徴とする密閉容器。
【請求項５】
前記密閉容器は、上方に開口する開口部が形成された箱状の容器本体と、前記容器本体の上に配置されて前記開口部を閉塞する蓋部材と、前記容器本体の上端部と前記蓋部材の周縁部を固結する締結部材を備えたことを特徴とする請求項４に記載の密閉容器。
【請求項６】
前記第１の被連結部品と前記第２の被連結部品それぞれは、互いに鉛直方向に隣合う前記密閉容器の容器本体により構成されたことを特徴とする請求項５に記載の密閉容器。
【考案の詳細な説明】
【技術分野】
【０００１】
本考案は、例えば、互いに鉛直方向に積み重ねられて配置された密閉容器同士を連結するような連結構造、及びこの連結構造を備えた密閉容器に関するものである。
【背景技術】
【０００２】
従来の密閉容器には、上方に開口する開口部が形成された四角い箱状の容器本体と、この容器本体の上端部の上に載せられてその開口部を閉塞する蓋部材と、容器本体の上端部と蓋部材の周縁部とを上下方向から挟み込んでそれらを固結する、４つのＬ字型の締結部材とを備えた角型の密閉容器があった（例えば、特許文献１、２参照）。
【０００３】
この従来の密閉容器は、容器本体の上端部と蓋部材の周縁部が、締結部材によって上下方向から加圧されて互いに密着することにより、その容器の内部に密閉された空間が形成されていた。この密閉された空間内には、原子力関連施設において発生した放射性廃棄物、又はその放射性廃棄物が充填されたドラム缶等が収納されていた。
【０００４】
そして、上記従来の密閉容器は、ドラム缶に充填された放射性廃棄物から放射線が漏れ出して外気中に拡散したり、放射線を発生する放射性廃棄物自体が外気中に露出したりして環境を汚染することを防止するために、原子力関連施設内の貯蔵庫に保管されるようになっていた。
【０００５】
このような従来の角型の密閉容器は、ドラム缶等のような円柱状の密閉容器に比べて、水平方向に複数並べて配置させた際にその相互間に大きな隙間が形成されない構成になっていると共に、鉛直方向に３段位に積み重ねられる構成になっているため、貯蔵庫内の空間を有効に利用することができた。
【０００６】
また、このような従来の鉛直方向に３段位に積み重ねられた密閉容器は、地震等の振動により、上方に位置する密閉容器が転倒したり、落下したりすることを防止するために、複数の密閉容器同士が一体となるように、それらの周りに巻掛ベルトが巻き付けられていた。
【先行技術文献】
【特許文献】
【０００７】
【特許文献１】特開２０００−０８５７６５号公報
【特許文献２】特開２００５−３１５８０３号公報
【考案の概要】
【考案が解決しようとする課題】
【０００８】
しかしながら、原子力関連施設内の専用の貯蔵庫等は、従来の鉛直方向に３段位に積み重ねられた密閉容器に合わせた構造や寸法になっているため、これらの密閉容器の周りに巻掛ベルトを巻き付ける作業を行なうのに十分な作業空間が周囲に存在せずに、巻掛ベルトを巻き付けることができない場合があるという問題があった。
【０００９】
また、鉛直方向に３段位に積み重ねられた密閉容器の周りに巻掛ベルトを巻き付ける作業は、手間が掛かり容易に行なうことができないという問題もあった。
【００１０】
そこで本考案は、上記問題点に鑑みて、地震等の振動によっては密閉容器同士の連結が容易に外れないように連結することができると共に、周囲に十分な作業空間がなくても密閉容器同士の連結作業及びその連結の解除作業を容易に行なうことができる連結構造、及びこれを備えた密閉容器を提供することを課題とするものである。
【課題を解決するための手段】
【００１１】
上記課題を解決するために、本考案による連結構造は、
第１長孔部及びこの第１長孔部の一端部に連続して形成され前記第１長孔部の幅寸法より大きい径寸法の円孔部を有し、第１の被連結部品に固定された第１掛受部材と、
第２長孔部及びこの第２長孔部の長さ方向途中に一端部が連続する分岐長孔部を有し、第２の被連結部品に固定された第２掛受部材と、
両端部に折曲部が形成され、この折曲部の長さ方向外側に折曲部より径寸法が大きい抜止部が一体的に設けられた掛止部材とを備え、
前記掛止部材の一方の折曲部に設けられた抜止部が前記第１長孔部に掛止されると共に、前記掛止部材の他方の折曲部に設けられた抜止部が前記第２長孔部に掛止されることにより、前記第１の被連結部品と前記第２の被連結部品を互いに連結するようにしたことを特徴とするものである。
【００１２】
また、本考案による連結構造は、
前記第２掛受部材の分岐長孔部は略水平方向に対して傾斜して設けられ、
前記一方の折曲部の先端部及び抜止部を前記第１掛受部材の円孔部及び第１長孔部に挿通させて、前記一方の折曲部を中心にして前記他方の折曲部を回動させて前記第２掛受部材の分岐長孔部に通すことにより、前記一方の折曲部に設けられた抜止部は前記第１長孔部に掛止されると共に、前記他方の折曲部に設けられた抜止部は前記第２長孔部に掛止するようにしたことを特徴とするものである。
【００１３】
また、本考案による連結構造は、
前記掛止部材の抜止部は、前記第１掛受部材の円孔部より径寸法が大きく形成されたことを特徴とするものである。
【００１４】
また、本考案による密閉容器は、
第１長孔部及びこの第１長孔部の一端部に連続して形成され前記第１長孔部の幅寸法より大きい径寸法の円孔部を有し、第１の被連結部品に固定された第１掛受部材と、
第２長孔部及びこの第２長孔部の長さ方向途中に一端部が連続する分岐長孔部を有し、第２の被連結部品に固定された第２掛受部材と、
両端部に折曲部が形成され、この折曲部の長さ方向外側に折曲部より径寸法が大きい抜止部が一体的に設けられた掛止部材とを備え、
前記掛止部材の一方の折曲部に設けられた抜止部が前記第１長孔部に掛止されると共に、前記掛止部材の他方の折曲部に設けられた抜止部が前記第２長孔部に掛止されることにより、前記第１の被連結部品と前記第２の被連結部品を互いに連結する連結構造を備えたことを特徴とするものである。
【００１５】
また、本考案による密閉容器は、
前記密閉容器は、上方に開口する開口部が形成された箱状の容器本体と、前記容器本体の上に配置されて前記開口部を閉塞する蓋部材と、前記容器本体の上端部と前記蓋部材の周縁部を固結する締結部材を備えたことを特徴とするものである。
【００１６】
また、本考案による密閉容器は、
前記第１の被連結部品と前記第２の被連結部品それぞれは、互いに鉛直方向に隣合う前記密閉容器の容器本体により構成されたことを特徴とするものである。
【考案の効果】
【００１７】
このような本考案の連結構造によれば、
第１長孔部及びこの第１長孔部の一端部に連続して形成され前記第１長孔部の幅寸法より大きい径寸法の円孔部を有し、第１の被連結部品に固定された第１掛受部材と、
第２長孔部及びこの第２長孔部の長さ方向途中に一端部が連続する分岐長孔部を有し、第２の被連結部品に固定された第２掛受部材と、
両端部に折曲部が形成され、この折曲部の長さ方向外側に折曲部より径寸法が大きい抜止部が一体的に設けられた掛止部材とを備え、
前記掛止部材の一方の折曲部に設けられた抜止部が前記第１長孔部に掛止されると共に、前記掛止部材の他方の折曲部に設けられた抜止部が前記第２長孔部に掛止されることにより、前記第１の被連結部品と前記第２の被連結部品を互いに連結するようにしたことにより、
地震等の振動によっては密閉容器同士の連結が容易に外れないように連結することができると共に、周囲に十分な作業空間がなくても密閉容器同士の連結作業及びその連結の解除作業を容易に行なうことができる。
【００１８】
また、本考案の密閉容器によれば、
第１長孔部及びこの第１長孔部の一端部に連続して形成され前記第１長孔部の幅寸法より大きい径寸法の円孔部を有し、第１の被連結部品に固定された第１掛受部材と、
第２長孔部及びこの第２長孔部の長さ方向途中に一端部が連続する分岐長孔部を有し、第２の被連結部品に固定された第２掛受部材と、
両端部に折曲部が形成され、この折曲部の長さ方向外側に折曲部より径寸法が大きい抜止部が一体的に設けられた掛止部材とを備え、
前記掛止部材の一方の折曲部に設けられた抜止部が前記第１長孔部に掛止されると共に、前記掛止部材の他方の折曲部に設けられた抜止部が前記第２長孔部に掛止されることにより、前記第１の被連結部品と前記第２の被連結部品を互いに連結する連結構造を備えたことにより、
地震等の振動によっては密閉容器同士の連結が容易に外れないように連結することができると共に、周囲に十分な作業空間がなくても密閉容器同士の連結作業及びその連結の解除作業を容易に行なうことができる。
【図面の簡単な説明】
【００１９】
【図１】本考案の一実施の形態に係る連結構造２８を示す正面図である。
【図２】図１に示す連結構造２８のＡ−Ａ線矢視断面図である。
【図３】本考案の一実施の形態に係る連結構造２８を備えた密閉容器２０（２１）を示す正面図である。
【図４】図１に示す連結構造２８の一部を構成する第１掛受部材３２を示す図であって、図４（ａ）はその正面図、図４（ｂ）は図４（ａ）におけるそのＢ−Ｂ線矢視断面図である。
【図５】図１に示す連結構造２８の一部を構成する第２掛受部材３４を示す図であって、図５（ａ）はその正面図、図５（ｂ）は図５（ａ）におけるそのＣ−Ｃ線矢視断面図である。
【図６】図１に示す連結構造２８の一部を構成する掛止部材３０を示す図であって、図６（ａ）はその側面図、図６（ｂ）は図１，３におけるその背面図である。
【図７】図１に示す連結構造２８において、掛止部材３０を第１掛受部材３２と第２掛受部材３４に掛止させる手順を説明するための図である。
【図８】図３に示す密閉容器２０（２１）の正面図である。
【図９】図８に示す密閉容器２０（２１）の上面図である。
【図１０】図８に示す密閉容器２０（２１）の一部を構成する容器本体２２の正面図である。
【図１１】図１０に示す容器本体２２の底面図である。
【図１２】図８に示す密閉容器２０（２１）の一部を構成する蓋部材２４を示す図であって、図１２（ａ）はその上面図、図１２（ｂ）はその側面図である。
【図１３】図８に示す密閉容器２０（２１）の一部を構成する締結部材２６を示す図であって、図１３（ａ）はその上面図、図１３（ｂ）は図１３（ａ）のＤ−Ｄ線矢視断面図である。
【考案を実施するための形態】
【００２０】
以下、本考案に係る連結構造及びこれを備えた密閉容器の実施の形態について、図面に基づいて具体的に説明する。
図１ないし図１３は、本考案の一実施の形態に係る連結構造２８、及びこれを備えた密閉容器２０（２１）について説明するために参照する図である。
【００２１】
本実施の形態に係る連結構造２８は、図１に示すように、長孔部３２ｆ（第１長孔部）と、この長孔部３２ｆに連続する円孔部３２ｇとが組合わされて形成された、鍵穴を有する第１掛受部材３２と、長孔部３４ｆ（第２長孔部）と、この長孔部３４ｆの長さ方向の途中に連続する分岐長孔部３４ｇとを有する第２掛受部材３４と、両端部に折曲部３０ｂ，３０ｆが設けられ、これらの折曲部３０ｂ，３０ｆに抜止部３０ｃがそれぞれ一体的に設けられた掛止部材３０とを備えて構成されている。
【００２２】
図２に示すように、連結構造２８の掛止部材３０は、その図中上方の折曲部３０ｂには抜止部３０ｃが設けられ、この抜止部３０ｃが設けられた折曲部３０ｂの先端部は、第１掛受部材３２の側板部３２ａの内側面３２ｅ側に入り込んでおり、その抜止部３０ｃの係止面３０ｅが、側板部３２ａの内側面３２ｅに対向するように配置されている。
【００２３】
また、掛止部材３０は、その図中下方の折曲部３０ｆにも、抜止部３０ｃが設けられ、この抜止部３０ｃが設けられた折曲部３０ｆの先端部は、第２掛受部材３４の側板部３４ａの内側面３４ｅ側に入り込んでおり、その抜止部３０ｃの係止面３０ｅが、側板部３４ａの内側面３４ｅに対向するように配置されている。
【００２４】
そして、掛止部材３０は、図２中上方の折曲部３０ｂの外周面の下側が、第１掛受部材３２の長孔部３２ｆの円弧状の下端部に掛止されており、同図中下方の折曲部３０ｆの外周面の下側が、第２掛受部材３４の長孔部３４ｆの円弧状の下端部に掛止されている。
【００２５】
また、掛止部材３０は、図２中上方の折曲部３０ｂに設けられた抜止部３０ｃが、第１掛受部材３２の長孔部３２ｆに掛止されると共に、同図中下方の折曲部３０ｆに設けられた抜止部３０ｃが、第２掛受部材３４の長孔部３４ｆに掛止されるようになっている。
【００２６】
このように掛止部材３０が掛止された第１掛受部材３２と第２掛受部材３４は、その掛止部材３０により互いに連結されている。
【００２７】
このため、図３に示すように、図中上方に配置された密閉容器２０（第１の被連結部品）の下部に固定された第１掛受部材３２と、図中下方に配置された密閉容器２１（第２の被連結部品）の上部に固定された第２掛受部材３４を、掛止部材３０を用いて上記のように連結することにより、鉛直方向に積み重ねられた密閉容器２０，２１同士を連結することができるようになっている。
【００２８】
連結構造２８の第１掛受部材３２は、図４（ｂ）にその断面を示すように、板状部材が折り曲げられて形成されており、その断面形状が略コの字状に形成されている。すなわち、第１掛受部材３２は、外側面３２ｄと内側面３２ｅを有する側板部３２ａの上端部が、略垂直に折り曲げられて上板部３２ｂが形成されており、側板部３２ａの下端部が略垂直に折り曲げられて下板部３２ｃが形成されている。
【００２９】
この第１掛受部材３２の上板部３２ｂと下板部３２ｃの先端部同士は、さらに略垂直に折り曲げられて側板部３２ａと平行になっていると共に、それぞれの先端面が互いに対向して接近するように形成されている。
【００３０】
図４（ａ）に示すように、第１掛受部材３２は、その側板部３２ａの図中左右方向中央部の下側の位置に、図中上下方向に長さを有する長孔部３２ｆが形成されている。
【００３１】
そして、第１掛受部材３２の長孔部３２ｆの上端部には、この長孔部３２ｆと連続する円孔部３２ｇが形成されている。この円孔部３２ｇの径寸法は、長孔部３２ｆの幅方向（図中左右方向）の長さ寸法よりも大きく形成されている。
【００３２】
図２に示すように、連結構造２８の第２掛受部材３４は、その側板部３４ａの外側面３４ｄが、第１掛受部材３２の側板部３２ａの外側面３２ｄと略同一平面上に位置するようにして、第１掛受部材３２の下方に配置されている。
【００３３】
また、第２掛受部材３４は、図１に示すように、その長孔部３４ｆが第１掛受部材３２の長孔部３２ｆに対して互いの長さ方向に直列に並んで配置され、かつ互いに長さ方向に間隔をおいて配置されている。
【００３４】
第２掛受部材３４は、図５（ｂ）にその断面を示すように、板状部材が折り曲げられて形成されており、その断面形状が略コの字状に形成されている。すなわち、第２掛受部材３４は、外側面３４ｄと内側面３４ｅを有する側板部３４ａの上端部が、略垂直に折り曲げられて上板部３４ｂが形成されており、側板部３４ａの下端部が略垂直に折り曲げられて下板部３４ｃが形成されている。
【００３５】
この第２掛受部材３４の上板部３４ｂと下板部３４ｃの先端部同士は、さらに略垂直に折り曲げられて側板部３４ａと平行になっていると共に、それぞれの先端面が互いに対向して接近するように形成されている。
【００３６】
図５（ａ）に示すように、第２掛受部材３４は、その側板部３４ａの図中左右方向中央部に、図中上下方向に長さを有する長孔部３４ｆが形成されている。
【００３７】
そして、第２掛受部材３４の長孔部３４ｆの長さ方向の途中から、図中右側の端部に向かうに従って上昇するよう傾斜して伸びる分岐長孔部３４ｇが、長孔部３４ｆに連続して形成されている。
【００３８】
第２掛受部材３４の長孔部３４ｆの幅寸法（図５（ａ）中左右方向の寸法）と、分岐長孔部３４ｇの幅寸法（図５（ａ）中略上下方向の寸法）は、第１掛受部材３２の長孔部３２ｆの幅寸法（図４（ａ）中左右方向の寸法）と略同一の寸法に形成されている。
【００３９】
掛止部材３０は、図６（ａ）に示すように、丸棒状の部材が折り曲げられて略コの字状に形成されている。すなわち、掛止部材３０は、同図中左右方向に長さを有する丸棒状の把持部３０ａの両端部が、同図中下方に向かって略垂直に折り曲げられた折曲部３０ｂ，３０ｆがそれぞれ形成されている。
【００４０】
この折曲部３０ｂ，３０ｆの径寸法ｄ１は、第１掛受部材３２の長孔部３２ｆ、第２掛受部材３４の長孔部３４ｆ及び分岐長孔部３４ｇの幅方向の寸法よりも小さく形成されている。
【００４１】
そして、掛止部材３０の折曲部３０ｂ，３０ｆの先端面３０ｄ寄りの外周面には、円板状の抜止部３０ｃが溶接等により一体的に固定されている。
【００４２】
この抜止部３０ｃの径寸法ｄ２は、第１掛受部材３２の円孔部３２ｇの径寸法よりも大きく形成されているので、円孔部３２ｇの径寸法よりも小さな第１掛受部材３２の長孔部３２ｆ、第２掛受部材３４の長孔部３４ｆ及び分岐長孔部３４ｇの幅方向の寸法よりも大きく形成されている。
【００４３】
また、掛止部材３０両端部の、２つの折曲部３０ｂ，３０ｆの軸中心同士を繋いだ、把持部３０ａに平行な線分の長さ寸法は、第１掛受部材３２の円孔部３２ｇの軸中心と、第２掛受部材３４の長孔部３４ｆの中心線と分岐長孔部３４ｇの中心線との交点とを繋いだ、把持部３０ａに平行な線分の長さ寸法よりも小さく形成されている。
【００４４】
このため、掛止部材３０両端部の２つの折曲部３０ｂ，３０ｆは、第１掛受部材３２の円孔部３２ｇと第２掛受部材３４の長孔部３４ｆ又は分岐長孔部３４ｇから同時に外れることを防止することができるようになっている。
【００４５】
以下に、本実施の形態に係る連結構造２８の連結手順について説明する。
【００４６】
まず、図２に示すように、掛止部材３０の図中上方の折曲部３０ｂ先端部及び抜止部３０ｃを、第１掛受部材３２の側板部３２ａの外側面３２ｄ側から、長孔部３２ｆ及び円孔部３２ｇに同時に挿通させて、側板部３２ａの内側面３２ｅ側に突き抜けさせる。
【００４７】
このとき、掛止部材３０は、その抜止部３０ｃの径寸法が第１掛受部材３２の円孔部３２ｇの径寸法よりも大きいため、その折曲部３０ｂの先端面３０ｄが第１掛受部材３２の外側面３２ｄに対して３０°〜６０°位の角度で傾けられた状態で、折曲部３０ｂの先端部及び抜止部３０ｃが、円孔部３２ｇから長孔部３２ｆにわたって同時に挿通して、側板部３２ａの内側面３２ｅ側に突き抜ける。
【００４８】
次に、掛止部材３０は、図７に示すように、図中上方の折曲部３０ｂが第１掛受部材３２の長孔部３２ｆの長さ途中まで押し下げられる。
【００４９】
そして、掛止部材３０は、その把持部３０ａを人の手で把持された状態で、図中上方の折曲部３０ｂ先端部の軸中心を回動中心として、図中下方の折曲部３０ｆを図中時計周り方向に回動させることによって、図中下方の折曲部３０ｆの先端部が、第２掛受部材３４の分岐長孔部３４ｇを通って、抜止部３０ｃが図中右側から左側に変位して、側板部３４ａの内側面３４ｅ側に配置される。
【００５０】
掛止部材３０は、図１及び図２に示すように、２つの折曲部３０ｂ，３０ｆが第１掛受部材３２の長孔部３２ｆの下端部と第２掛受部材３４の長孔部３４ｆの下端部のそれぞれに係止するまで押し下げられる。
【００５１】
以上に示した手順により、第１掛受部材３２と第２掛受部材３４は、掛止部材３０により互いを連結させることができるようになっている。また、上記連結手順を逆に行なうことで第１掛受部材３２と第２掛受部材３４の連結を解除して、掛止部材３０をそれらから取り外すこともできるようになっている。
【００５２】
このような連結構造２８は、図３に示すように、各々の密閉容器２０，２１間に設けられおり、互いに鉛直方向に積み重ねられて配置された密閉容器２０，２１同士を連結することができるようになっている。
【００５３】
本実施の形態に係る密閉容器２０及び２１は、図８及び図１０に示すように、上方に向かって開口する開口部２２ａが形成された角型箱状の容器本体２２と、この容器本体２２の上に配置されてその開口部２２ａを閉塞する蓋部材２４と、容器本体２２上端部の上端縁部２２ｂと蓋部材２４の周縁部５０の両部分を挟んで固結することにより、容器本体２２の内部に密閉された空間を形成する、締結部材２６を備えるようになっている。
【００５４】
そしてさらに、図８及び図９に示すように、密閉容器２０，２１の容器本体２２は、その表裏両側の下部と上部に、第１掛受部材３２と第２掛受部材３４がそれぞれ溶接等により一体的に固定されている。図９においては、容器本体２２は蓋部材２４より図中奥の方に隠れて見えないので、図示されていない。
【００５５】
この容器本体２２は、軟鋼等を用いた金属製であり、図１０に示すように、主として上方の開口が開放された角型箱状の箱体部４０が形成されている。
【００５６】
図１０及び図１１に示すように、箱体部４０の下面２２ｄの下側には脚部４２が設けられ、図３に示すように、容器本体２２の上に蓋部材２４が取付けられた後に、その蓋部材２４の上に別の密閉容器２０の容器本体２２の脚部４２を積み上げることができるようになっている。
【００５７】
図１１に示すように、容器本体２２の脚部４２は、桁材４４，４６が縦横に配置されており、その桁材４４間には補強リブ４８が配置されていて、図１０に示すように、それらが箱体部４０の下面２２ｄに溶接等により一体的に接合されている。
【００５８】
このような脚部４２により、箱体部４０の下面２２ｄが補強されると共に、フォークリフトのフォーク部を桁材４４間に差込む等により、密閉容器２０，２１を容易に運ぶことができるように構成されている。
【００５９】
また、図１０に示すように、容器本体２２の脚部４２の、図中左右方向中央部寄りの位置に互いに対向して配置された２つの桁材４４の間には、第１掛受部材３２が挟み込まれて配置されている。
【００６０】
そして、第１掛受部材３２の側板部３２ａの図１０中左右方向両端部を、桁材４４の側辺部に接触させて、互いの接触部分近傍部を溶接等することにより、第１掛受部材３２は桁材４４を介して容器本体２２に一体的に固定されている。
【００６１】
また、容器本体２２の箱体部４０は、その外側面２２ｃの図中左右方向中央部であって、上端縁部２２ｂ寄りの位置に第２掛受部材３４が、第１掛受部材３２の位置の上方に対応して配置されている。そして、第２掛受部材３４の上板部３４ｂと下板部３４ｃから略垂直に折り曲げられて側板部３２ａと平行となった先端部を、箱体部４０の外側面２２ｃに接触させて、互いの接触部分近傍部を溶接等することにより、第２掛受部材３４は箱体部４０の外側面２２ｃに一体的に固定されている。
【００６２】
密閉容器２０，２１の蓋部材２４は、軟鋼等を用いた金属製であり、容器本体２２の上端縁部２２ｂと相似形のほぼ正方形に（角型状に）形成されており（図１２（ａ）参照）、その四隅部が丸めて形成されている。そして、蓋部材２４は、図８に示すように、容器本体２２上に載置されて、その開口部２２ａが開口した上端縁部２２ｂ（図１０参照）を閉塞するようになっている。
【００６３】
図１２（ａ）に示すように、この蓋部材２４の上面には、互いに離れて対向する位置に、中央側から外側に向かうにしたがって高さが高くなるよう傾斜した、２つの取っ手５６が溶接等により一体的に取付けられている。
【００６４】
この取っ手５６は、蓋部材２４の上に別の密閉容器２０の脚部４２を載せて、密閉容器２０同士を鉛直方向に積み重ねた際に、上記脚部４２に接触しないような位置、幅寸法及び高さ寸法に形成されるようになっている。
【００６５】
図１２（ａ）及び（ｂ）に示すように、蓋部材２４には、その周縁部５０を上から見たその外形形状に沿うように、その下面から垂直下方に高さを有するリブ５２が設けられている。そして、蓋部材２４の平面方向に伸びるリブ５２の外形輪郭の内側に、蓋部材２４の下面から垂直方向にリブ５２と同程度の高さを有するリブ５４が格子状に設けられている。
【００６６】
蓋部材２４のリブ５２と５４は、蓋部材２４が容器本体２２の上端縁部２２ｂを閉塞した際に、容器本体２２の開口部２２ａの内周面より内側に入り込むようになっている。
【００６７】
他方、密閉容器２０，２１の締結部材２６は、軟鋼等を用いた金属製であり、図１３（ａ）に示すように、上から見た締結部材２６は、２つの直線部が略直角に折曲げられたＬ字状に形成されており、その２つの直線部の先端部には締結金具５８が溶接により一体的に設けられている。そして、図１３（ｂ）に示すように、その断面が、その高さ中央部に形成されたＶ型凹部２６ａから上下２つの先端部に向かって分岐した鋏状に形成されている。
【００６８】
図１３（ａ），（ｂ）に示すように、締結金具５８は、帯状の板部材を折り曲げて形成されており、その一端部が締結部材２６の上部に沿うように接触しており、その接触した部分の先端部や両側部が溶接部Ｗのように溶接により、締結部材２６の上部に一体的に固定されている。そして、締結金具５８の他端部は円形状に折り曲げられ、その折れ曲がった部分の内側に貫通孔５８ａが形成されている。
【００６９】
図８及び図９に示すように、締結部材２６は、蓋部材２４の四隅部のそれぞれに、略直角に折れ曲がった折曲げ部２６ｂ（図１３(ａ)参照）が配置されるようになっている。
【００７０】
そして、図１３(ｂ)に示すように、締結部材２６の凹部２６ａから分岐した２つの先端部が、容器本体２２の上端縁部２２ｂの下側と、蓋部材２４の周縁部５０の先端部が下方向に折れ曲って形成された上面を挟み込んだ状態で、図９に示すように、互いに隣合う締結部材２６端部の締結金具５８同士を、それらの貫通孔５８ａにボルト３６を貫通させてその先端部をナット３８によりネジ締結する。
【００７１】
これにより、締結部材２６は、互いの締結金具５８同士が互いに近寄る方向に力が加えられ、隣合う端部同士が引っ張られた状態となるため、容器本体２２の上端縁部２２ｂと蓋部材２４を互いに上下方向に近づけるよう押圧して、両者を互いに強固に結合(固結)するようになっている。
【００７２】
このとき、容器本体２２の上端縁部２２ｂの上側は、図１２（ｂ）に示す蓋部材２４の周縁部５０の内側に取付けられた、不図示の弾性シール部材に圧着するようになっており、容器本体２２の上端縁部２２ｂを閉塞して、容器本体２２の内部に密閉された空間が形成されるようになっている。
【００７３】
図３に示すように、下方の密閉容器２１の蓋部材２４の上に別の密閉容器２０の脚部４２を載せることにより、鉛直方向に密閉容器２０，２１は積み重ねられて配置されている。そして、図中上方の密閉容器２０の脚部４２に固定された第１掛受部材３２と、図中下方の密閉容器２１の箱体部４０に固定された第２掛受部材３４を、掛止部材３０により相互に連結することにより、鉛直方向に積み重ねられた密閉容器２０，２１同士を連結することができるようになっている。
【００７４】
このような連結構造２８は、上下方向や水平方向に振動が加わったとしても、掛止部材３０の折曲部３０ｂに設けられた抜止部３０ｃが、第１掛受部材３２の長孔部３２ｆに掛止されたり、掛止部材３０の折曲部３０ｆに設けられた抜止部３０ｃが、第２掛受部材３４の長孔部３４ｆに掛止されたりするので、第１掛受部材３２や第２掛受部材３４から掛止部材３０が容易には外れない構造になっている。
【００７５】
また、図１及び図２に示すように、連結構造２８は、地震等の振動により、第２掛受部材３４の長孔部３４ｆの下端部から、掛止部材３０の折曲部３０ｆの下面が離れて、第２掛受部材３４の長孔部３４ｆの上端部に折曲部３０ｆの上面が係止される迄の距離分だけ、第１掛受部材３２と第２掛受部材３４の間隔を一時的に拡げることができるようになっている。
【００７６】
このため、図３に示すような、鉛直方向に積み重ねられた密閉容器２０，２１は、地震等の振動によって、図中上方の密閉容器２０の容器本体２２の表側又は裏側の脚部４２が、図中下方の密閉容器２１の蓋部材２４の上面から離れるように動くことができるため、地震等の振動が図中下方の密閉容器２１から図中上方の密閉容器２０にそのまま伝えられて、密閉容器２０，２１同士が一体となって転倒するのを防止することができる。
【００７７】
また、本実施の形態に係る連結構造２８は、密閉容器２０，２１を鉛直方向に３段位に積み重ねたとしても、最上段の密閉容器２０の脚部４２に固定された第１掛受部材３２と、その一段下の密閉容器２１の箱体部４０に固定された第２掛受部材３４は、作業者の手が届く高さ位置にあるため、掛止部材３０によって作業者が容易にそれらを連結することができる。
【００７８】
また、本実施の形態に係る連結構造２８は、従来のように鉛直方向に積み重ねられた密閉容器２０，２１の周りに巻掛ベルトを巻き付ける作業を行なう必要がないため、その連結作業及び連結解除作業を容易に行なうことができる。また、周囲に十分な作業空間がないような場合であっても、密閉容器２０，２１同士を連結することができる。
【００７９】
このような本考案の一実施の形態に係る連結構造２８、及びこれを備えた密閉容器２０，２１によれば、地震等の振動によっては密閉容器２０，２１同士の連結が容易に外れないように連結することができると共に、周囲に十分な作業空間がなくても密閉容器２０，２１同士の連結作業及びその連結の解除作業を容易に行なうことができる。
【００８０】
なお、本考案は、前記実施の形態にのみ限定されるものではなく、本考案の目的を達成することができる範囲内のものであれば、種々の変更が可能である。
【００８１】
例えば、密閉容器の構造は、前記実施の形態に係る密閉容器２０，２１の構造に限定されるものではなく、円筒型の密閉容器等であってもかまわない。
【００８２】
また、前記実施の形態における容器本体２２には、その外側面２２ｃに、外側にフランジ状に突出する複数の環状の補強部材が固定されていてもよく、又は外側面２２ｃの一部又は全部に、上下方向に沿って波状の凹凸形状を形成して補強してもよい。
【００８３】
また、前記実施の形態に係る密閉容器２０，２１においては、第１掛受部材３２は、その容器本体２２の脚部４２の桁材４４間に挟まれて固定されていたが、この位置に限定されるわけではない。例えば、第１掛受部材３２は、容器本体２２の箱体部４０の外側面２２ｃに固定されてもよいし、容器本体２２に補強部材が固定されている場合にはその補強部材に固定されてもよい。
【００８４】
また、連結構造２８の第２掛受部材３４についても同様に、容器本体２２の箱体部４０の外側面２２ｃに固定されていたが、前記実施の形態に係る位置に限定されない。
【００８５】
また、前記実施の形態に係る連結構造２８は、密閉容器２０，２１の容器本体２２に設けられ、互いに鉛直方向に積み重ねられた密閉容器２０，２１同士を連結するようになっていたが、密閉容器２０，２１以外のものに設けられるようになっていてもよいし、２種類以上の異なるものを連結するようになっていてもよい。
【００８６】
また、前記実施の形態に係る連結構造２８における、第１掛受部材３２と第２掛受部材３４は、外形形状が略コの字状に形成されていたが、この形状にのみ限定されるわけではない。
【符号の説明】
【００８７】
２０，２１  密閉容器
２２  容器本体
２２ａ  開口部
２２ｂ  上端縁部
２２ｃ  外側面
２２ｄ  下面
２４  蓋部材
２６  締結部材
２６ａ  凹部
２６ｂ  折曲げ部
２８  連結構造
３０  掛止部材
３０ａ  把持部
３０ｂ  折曲部
３０ｃ  抜止部
３０ｄ  先端面
３０ｅ  係止面
３０ｆ  折曲部
３２  第１掛受部材
３２ａ  側板部
３２ｂ  上板部
３２ｃ  下板部
３２ｄ  外側面
３２ｅ  内側面
３２ｆ  長孔部
３２ｇ  円孔部
３４  第２掛受部材
３４ａ  側板部
３４ｂ  上板部
３４ｃ  下板部
３４ｄ  外側面
３４ｅ  内側面
３４ｆ  長孔部
３４ｇ  分岐長孔部
３６  ボルト
３８  ナット
４０  箱体部
４２  脚部
４４，４６  桁材
４８  補強リブ
５０  周縁部
５２，５４  リブ
５６  取っ手
５８  締結金具
５８ａ  貫通孔
Ｗ  溶接部
【図１】
0003178855.tif 000003
【図２】
0003178855.tif 000004
【図３】
0003178855.tif 000005
【図４】
0003178855.tif 000006
【図５】
0003178855.tif 000007
【図６】
0003178855.tif 000008
【図７】
0003178855.tif 000009
【図８】
0003178855.tif 000010
【図９】
0003178855.tif 000011
【図１０】
0003178855.tif 000012
【図１１】
0003178855.tif 000013
【図１２】
0003178855.tif 000014
【図１３】
0003178855.tif 000015